(57)【要約】      （修正有）【課題】息苦しさを解消しつつ鼻腔の乾燥を防ぐことができる鼻用保湿材を提供する。【解決手段】鼻用保湿材１は、保湿機能を有し、人の鼻腔を保湿するためのものである。この鼻用保湿材１は、人の鼻と口との間の領域に収まる大きさのシート状に形成されており、当該領域に貼付される。鼻用保湿材１は、本体層及び粘着層を有している。本体層は、保湿機能を有し、例えば、水分を含む不織布を用いることができる。本体層には、芳香成分及び／又は抗菌成分が含有されていてもよい。【選択図】図１
2015167775.tif 000002
【特許請求の範囲】
【請求項１】
保湿機能を有し、人の鼻腔を保湿する鼻用保湿材であって、
当該鼻用保湿材は、前記人の鼻と口との間の領域に収まる大きさのシート状に形成されており、当該領域に貼付されることを特徴とする鼻用保湿材。
【請求項２】
請求項１に記載の鼻用保湿材において、
保湿機能を有するシート状の本体層と、
前記本体層の一方の面に設けられ、前記人の皮膚に対して粘着力を有する粘着層と、を備え、
前記本体層は、前記粘着層を介して前記領域に貼付される鼻用保湿材。
【請求項３】
請求項２に記載の鼻用保湿材において、
前記粘着層は、保湿機能を有しない鼻用保湿材。
【請求項４】
請求項１乃至３の何れかに記載の鼻用保湿材において、
当該鼻用保湿材は、別体に設けられた第１及び第２のシートからなり、
前記第１のシートは、前記人の２つの鼻孔の一方の下部に貼付され、
前記第２のシートは、前記第１のシートから離間した状態で、前記鼻孔の他方の下部に貼付される鼻用保湿材。
【請求項５】
請求項１乃至４の何れかに記載の鼻用保湿材において、
当該鼻用保湿材は、前記領域に繰り返し貼付可能である鼻用保湿材。
【請求項６】
請求項１乃至５の何れかに記載の鼻用保湿材において、
当該鼻用保湿材の上下方向の長さは、５ｍｍ以上１５ｍｍ以下である鼻用保湿材。
【請求項７】
請求項１乃至６の何れかに記載の鼻用保湿材において、
当該鼻用保湿材の左右方向の長さは、２ｃｍ以上６ｃｍ以下である鼻用保湿材。
【請求項８】
請求項１乃至７の何れかに記載の鼻用保湿材において、
当該鼻用保湿材は、芳香成分を含有する鼻用保湿材。
【請求項９】
請求項８に記載の鼻用保湿材において、
前記芳香成分は、ハーブの香りを発するものである鼻用保湿材。
【請求項１０】
請求項１乃至９の何れかに記載の鼻用保湿材において、
当該鼻用保湿材は、抗菌成分を含有する鼻用保湿材。
【請求項１１】
請求項１０に記載の鼻用保湿材において、
前記抗菌成分は、タンニンである鼻用保湿材。
【発明の詳細な説明】
【技術分野】
【０００１】
本発明は、人の鼻腔を保湿する鼻用保湿材に関する。
【背景技術】
【０００２】
就寝中や飛行機での移動中など、湿度の低い空気が呼吸時に鼻腔内に吸い込まれることにより、鼻腔が乾燥することがしばしばある。鼻腔の乾燥は、喉の乾燥にもつながり、不快に感じることもある。従来、かかる鼻腔の乾燥を防止する手段として、例えば特許文献１に記載された保湿マスクが提案されている。同文献に記載された保湿マスクは、鼻の立体形状に合うように形成された立体の鼻マスク体を備えており、この鼻マスク体により鼻全体を覆うものである。
【先行技術文献】
【特許文献】
【０００３】
【特許文献１】特開２０１３−３４５１９号公報
【発明の概要】
【発明が解決しようとする課題】
【０００４】
特許文献１に記載された保湿マスクによれば、鼻マスク体により鼻全体が覆われるため、鼻腔の乾燥がある程度防止される。しかしながら、かかるマスクを装着した状態では、鼻呼吸が妨げられるため、息苦しくなるという問題がある。
【０００５】
本発明は、上記課題に鑑みてなされたものであり、息苦しさを解消しつつ鼻腔の乾燥を防ぐことができる鼻用保湿材を提供することを目的とする。
【課題を解決するための手段】
【０００６】
本発明による鼻用保湿材は、保湿機能を有し、人の鼻腔を保湿する鼻用保湿材であって、当該鼻用保湿材は、上記人の鼻と口との間の領域に収まる大きさのシート状に形成されており、当該領域に貼付されることを特徴とする。
【０００７】
この鼻用保湿材は、保湿機能を有しており、鼻と口との間の領域に貼付される。これにより、鼻呼吸時、吸気と共に当該保湿材から水分が鼻腔内に供給されるため、鼻腔の乾燥を防ぐことができる。また、当該保湿材は、鼻を覆うものではないため、呼吸を妨げることがない。
【発明の効果】
【０００８】
本発明によれば、息苦しさを解消しつつ鼻腔の乾燥を防ぐことができる鼻用保湿材が実現される。
【図面の簡単な説明】
【０００９】
【図１】本発明による鼻用保湿材の第１実施形態を示す平面図である。
【図２】図１の鼻用保湿材を示す側面図である。
【図３】図１の鼻用保湿材における使用時の状態を説明するための図である。
【図４】本発明による鼻用保湿材の第２実施形態を示す平面図である。
【図５】図４の鼻用保湿材における使用時の状態を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による鼻用保湿材の第１実施形態を示す平面図である。鼻用保湿材１は、保湿機能を有し、人の鼻腔を保湿するためのものである。この鼻用保湿材１は、人の鼻と口との間の領域（以下「鼻下領域」という。）に収まる大きさのシート状に形成されており、鼻下領域に貼付されて用いられる。鼻用保湿材１の上下方向（顔の上下方向）の長さｄ１１は、５ｍｍ以上１５ｍｍ以下であることが好ましい。また、鼻用保湿材１の左右方向（顔の左右方向）の長さｄ１２は、２ｃｍ以上６ｃｍ以下であることが好ましい。
【００１２】
図２は、鼻用保湿材１を示す側面図である。同図からわかるように、鼻用保湿材１は、本体層１０及び粘着層２０を有している。本体層１０は、保湿機能を有し、シート状をしている。本体層１０としては、例えば、水分を含む不織布を用いることができる。本体層１０は、当該本体層１０の保湿機能を高める保湿成分を含有することが好ましい。かかる保湿成分としては、例えば、コラーゲン、ヒアルロン酸、グリセリン類が挙げられる。
【００１３】
本体層１０には、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。
【００１４】
本体層１０の一方の面には、粘着層２０が設けられている。粘着層２０は、人の皮膚に対して粘着力を有する。粘着層２０は、人の皮膚から容易に剥がせるとともに、当該皮膚に繰り返し貼付可能であることが好ましい。また、粘着層２０は、人の肌に優しい材料からなることが好ましい。本体層１０は、この粘着層２０を介して、鼻下領域に貼付される。
【００１５】
本実施形態において粘着層２０は、上述の保湿成分を含有しておらず、保湿機能を有しない。また、粘着層２０は、上述の芳香成分や抗菌成分を含有していない。すなわち、鼻用保湿材１において、これらの保湿成分、芳香成分及び抗菌成分は、本体層１０及び粘着層２０のうち本体層１０にのみ添加される。また、粘着層２０の厚さは、本体層１０の厚さよりも小さい。
【００１６】
鼻用保湿材１の効果を説明する。鼻用保湿材１は、保湿機能を有しており、図３に示すように、鼻９２と口９４との間の鼻下領域に貼付される。これにより、鼻呼吸時、吸気と共に鼻用保湿材１から水分が鼻腔内に供給されるため、鼻腔の乾燥を防ぐことができる。また、鼻用保湿材１は、鼻を覆うものではないため、呼吸を妨げることがない。したがって、息苦しさを解消しつつ鼻腔の乾燥を防ぐことができる鼻用保湿材１が実現されている。
【００１７】
鼻用保湿材１は本体層１０及び粘着層２０を有しており、本体層１０は、粘着層２０を介して鼻下領域に貼付される。これにより、簡易な構成で、鼻下領域に貼付可能な鼻用保湿材１を実現することができる。
【００１８】
粘着層２０は、保湿機能を有しない。この場合、粘着層２０に保湿機能をもたせる必要がないため、鼻用保湿材１の製造コストを削減することができる。鼻用保湿材１は、貼付される部位（鼻下領域の皮膚）に対して作用（保湿）することを目的とするものではなく、鼻腔に対して作用（保湿）することを目的とするものである。それゆえ、皮膚に接する裏面側（粘着層２０）よりも、表面側（本体層１０）に保湿機能をもたせた方が、鼻腔の保湿という目的に適う。したがって、鼻用保湿材１においては、本体層１０が保湿機能を有する限り、粘着層２０が保湿機能を有しなくても、鼻腔の乾燥を充分に防ぐことができる。
【００１９】
これに対して、湿布のように、貼付される部位に対して直接的に作用することを目的とする場合は、所望の作用（例えば、鎮痛や冷却）を奏する有効成分を、表面側よりも、皮膚に接する裏面側に添加した方が、目的に適う。この点において、本発明は、このような湿布等とは、基本的な思想を異にしている。
【００２０】
鼻用保湿材１が繰り返し貼付可能である場合、鼻用保湿材１を何度も使用することができるため、経済的である。
【００２１】
鼻用保湿材１は、上下方向の長さｄ１１が短い方が、鼻下領域に収まり易い。かかる観点から、長さｄ１１は、１５ｍｍ以下であることが好ましい。他方、長さｄ１１が短すぎると、鼻用保湿材１が小さくなり、その保湿機能が低下してしまう。かかる観点から、長さｄ１１は、５ｍｍ以上であることが好ましい。
【００２２】
鼻用保湿材１は、左右方向の長さｄ１２が短い方が、顔の筋肉の動きを妨げにくい。かかる観点から、長さｄ１２は、６ｃｍ以下であることが好ましい。他方、長さｄ１２が短すぎると、鼻用保湿材１が小さくなり、その保湿機能が低下してしまう。かかる観点から、長さｄ１２は、２ｃｍ以上であることが好ましい。
【００２３】
本体層１０が芳香成分を含有する場合、当該成分が呼吸時に鼻腔に吸い込まれることにより、より快適に鼻用保湿材１を使用することができる。本体層１０が抗菌成分を含有する場合、呼気中や吸気中の雑菌が繁殖するのを抑制することができるため、より衛生的に鼻用保湿材１を使用することができる。
（第２実施形態）
【００２４】
図４は、本発明による鼻用保湿材の第２実施形態を示す平面図である。鼻用保湿材２は、保湿機能を有し、人の鼻腔を保湿するためのものである。この鼻用保湿材２は、鼻下領域に収まる大きさのシート状に形成されており、鼻下領域に貼付される。鼻用保湿材２は、シート２ａ（第１のシート）及びシート２ｂ（第２のシート）からなる。これらのシート２ａ，２ｂは、別体に設けられている。シート２ａ，２ｂは、鼻下領域に貼付される。具体的には、図５に示すように、シート２ａは、人の２つの鼻孔のうち、一方の鼻孔の下部に貼付される。同様に、シート２ｂは、もう一方の鼻孔の下部に貼付される。２枚のシート２ａ，２ｂは、互いに離間した状態で、鼻下領域に貼付される。
【００２５】
本実施形態においてシート２ａ，２ｂの大きさは、同一である。各シート２ａ，２ｂの上下方向の長さｄ２１は、５ｍｍ以上１５ｍｍ以下であることが好ましい。また、各シート２ａ，２ｂの左右方向の長さｄ２２は、１ｃｍ以上３ｃｍ以下であることが好ましい。なお、このように鼻用保湿材が２つに分かれている場合、鼻用保湿材の左右方向の長さは、２枚のシートの左右方向の長さの和として定義される。すなわち、本実施形態の場合、長さｄ２２の２倍の長さが、鼻用保湿材２の左右方向の長さとなる。各シート２ａ，２ｂは、鼻用保湿材１と同様、本体層１０及び粘着層２０からなる積層構造を有している（図２参照）。
【００２６】
鼻用保湿材２の効果を説明する。鼻用保湿材２は、保湿機能を有しており、鼻下領域に貼付される。これにより、鼻呼吸時、吸気と共に鼻用保湿材２の各シート２ａ，２ｂから水分が鼻腔内に供給されるため、鼻腔の乾燥を防ぐことができる。また、鼻用保湿材２は、鼻を覆うものではないため、呼吸を妨げることがない。したがって、息苦しさを解消しつつ鼻腔の乾燥を防ぐことができる鼻用保湿材２が実現されている。
【００２７】
鼻用保湿材２は２枚のシート２ａ，２ｂからなり、これらのシート２ａ，２ｂは、互いに離間した状態で鼻下領域に貼付される（図５参照）。このように鼻用保湿材２の中央が分離された状態で鼻下領域に貼付されるため、顔の筋肉の動きが妨げられにくくなる。例えば、人が笑うとき、鼻下領域の皮膚は左右に広がる。このとき、鼻用保湿材が人中（鼻下領域にある溝）を跨ぐようにして貼付されていると、当該保湿材が左右に引っ張られる形になるため、顔の筋肉の動きが妨げられる。この点、鼻用保湿材２は、人中を境として左右に分断された状態で鼻下領域に貼付することができるため、顔の筋肉の動きが妨げられにくい。鼻用保湿材２のその他の効果は、鼻用保湿材１について説明したとおりである。
【００２８】
本発明による鼻用保湿材は、上記実施形態に限定されるものではなく、様々な変形が可能である。例えば、上記実施形態においては、粘着層２０が保湿機能を有しない例を示した。しかし、粘着層２０は、保湿機能を有していてもよい。ただし、その場合であっても、本体層１０の方が、粘着層２０よりも高い保湿機能を有していることが好ましい。
【００２９】
上記実施形態においては、芳香成分や抗菌成分が粘着層２０に含有されない例を示した。しかし、粘着層２０は、芳香成分及び／又は抗菌成分を含有していてもよい。
【符号の説明】
【００３０】
１  鼻用保湿材
２  鼻用保湿材
２ａ  シート（第１のシート）
２ｂ  シート（第２のシート）
１０  本体層
２０  粘着層
９２  鼻
９４  口
【図１】
2015167775.tif 000003
【図２】
2015167775.tif 000004
【図３】
2015167775.tif 000005
【図４】
2015167775.tif 000006
【図５】
2015167775.tif 000007